(57)【要約】【課題】ロールペーパーの回転を押えながら片手で切断することができ且つ先端を容易につまみ出すことができるロールペーパーホルダーを提供する。【解決手段】本考案のロールペーパーホルダーは、支持軸５を介して先端側でロールペーパーＲを繰り出し回転可能に支持するブラケット３を備えている。該ブラケット３には、その先端に切断部１３を有し、前端側が上下揺動するように後端側を回動自在に支持した押え具７を設けている。該押え具７は支持されたロールペーパーＲの上部周面に接触して覆うように設け、該押え具７にロールペーパーＲの上部外周を露出させ且つペーパー繰出し端を引出す空間部を設けている。そして上記ペーパー繰出し端を下方に引出す際、該空間部の前端内縁部がロール周面に押接されてロールペーパーＲの回転を制動する押え部１２となっている。【選択図】図１
0003118011.tif 000002
【実用新案登録請求の範囲】
【請求項１】
支持軸（５）を介して先端側でロールペーパー（Ｒ）を繰り出し回転可能に支持するブラケット（３）と、切断部（１３）を有する前端側が上下揺動するように後端側を回動自在に支持した押え具（７）を、支持されたロールペーパー（Ｒ）の上部周面に接触して覆うように設け、該押え具（７）にロールペーパー（Ｒ）の上部外周を露出させ且つペーパー繰出し端を引出す空間部を設けるとともに、上記ペーパー繰出し端を下方に引出す際、該空間部の前端内縁部がロール周面に押接されてロールペーパー（Ｒ）の回転を制動する押え部（１２）となるロールペーパーホルダー。
【請求項２】
空間部が露出した周面のペーパーを指によって外周外につまみ出すことができるスペースとペーパーの取出し挿通が可能な幅の取出し空間（９）である請求項１のロールペーパーホルダー。
【請求項３】
取出し空間（９）の前方にロールペーパー（Ｒ）をつまみ出すことができる切欠状の摘み部（１１）を形成した請求項１又は２のロールペーパーホルダー。
【請求項４】
押え具（７）の先端に形成された切断部（１３）が、その先端側に起立させて設けられた請求項１，２又は３のロールペーパーホルダー。
【請求項５】
押え具（７）の切断部（１３）の端部にロールペーパー（Ｒ）の切断時にロールペーパー（Ｒ）の切断箇所を係止する係止部（１４）を設けた請求項１，２，３又は４のロールペーパーホルダー。
【考案の詳細な説明】
【技術分野】
【０００１】
この考案はロールペーパーの回転を押えながら片手で切断することができ且つ先端を容易につまみ出すことができるロールペーパーホルダーに関する。
【背景技術】
【０００２】
従来、カバー部に横長の穴を形成し、その穴を通じて一旦外側に紙を出し、上向きに湾曲形成されたカバー部の先端によって、紙を下向きに引っ張った際に、先端の湾曲箇所でトイレットペーパーの回転を抑えながら、所定長さに紙を切断するものが知られている（例えば、特許文献１参照。）。
【特許文献１】特開平８−１４０８８８号公報（図３）
【考案の開示】
【考案が解決しようとする課題】
【０００３】
しかし、上記の従来技術ではカバー部先端の湾曲箇所ではトイレットペーパーの回転を十分に抑えることができず、切断時に余分なトイレットペーパーが繰り出され、必要な紙を正確に切取ることができないという問題があった。またカバー部の先端に穿設された横長の穴の前後幅が狭く、最初ロールペーパーを引き出す際に、ロールペーパーを摘み出しにくく、誤ってロールペーパーの先端が横長の穴から抜け出た場合、再度ロールペーパーを挿通してつまみ出す作業が煩雑であった。
この考案は、これらの課題を解決又は改善し、ロールペーパーの切断を片手で扱うことができ、先端を容易につまみ出すことができるロールペーパーホルダーを提供するものである。
【課題を解決するための手段】
【０００４】
上記課題を解決するための本考案のロールペーパーホルダーは、第１に、支持軸５を介して先端側でロールペーパーＲを繰り出し回転可能に支持するブラケット３と、切断部１３を有する前端側が上下揺動するように後端側を回動自在に支持した押え具７を、支持されたロールペーパーＲの上部周面に接触して覆うように設け、該押え具７にロールペーパーＲの上部外周を露出させ且つペーパー繰出し端を引出す空間部を設けるとともに、上記ペーパー繰出し端を下方に引出す際、該空間部の前端内縁部がロール周面に押接されてロールペーパーＲの回転を制動する押え部１２となることを特徴としている。
【０００５】
第２に、空間部が露出した周面のペーパーを指によって外周外につまみ出すことができるスペースとペーパーの取出し挿通が可能な幅の取出し空間９であることを特徴としている。
【０００６】
第３に、取出し空間９の前方にロールペーパーＲをつまみ出すことができる切欠状の摘み部１１を形成したことを特徴としている。
【０００７】
第４に、押え具７の先端に形成された切断部１３が、その先端側に起立させて設けられたことを特徴としている。
【０００８】
第５に、押え具７の切断部１３の端部にロールペーパーＲの切断時にロールペーパーＲの切断箇所を係止する係止部１４を設けたことを特徴としている。
【考案の効果】
【０００９】
以上のように構成される本考案のロールペーパーホルダーによれば、取出し空間の前端内縁部をロールペーパーの周面に押接される押え部とすることによって、ロールペーパーの回転を確実に抑えながらロールペーパーを正確に切断することができる。また押え具に取出し空間と摘み部を形成したことによって、押え具の取出し空間から露出した上部周面側のロールペーパーを容易につまみ出すことができるほか、ロールペーパーの先端が取出し空間から抜け出て押え具の下方側に移動した場合であっても、ロールペーパーの先端を容易につまみ出し、押え具の前方に引き出すことができる。
さらにロールペーパーを斜め下方向に引っ張って所定長さに切断する際に、切断部両端に形成された係止部にロールペーパーが係止され、横滑ることなく容易に切断することができる。
【考案を実施するための最良の形態】
【００１０】
以下本考案のロールペーパーホルダーについて図面に基づき説明する。図１は本考案の斜視図、図２は平面図、図３は側面図である。
【００１１】
ロールペーパーホルダー１は壁等に取り付ける際の取り付け板となる後壁２の左右両辺に対し垂直方向にアーム状のブラケット３，３が一体的に設けられている。ロールペーパーＲは支持軸５（図２参照）を介して着脱自在に設けられており、その先端側でロールペーパーＲを繰り出し回転可能に支持している。この例では芯無しタイプのロールペーパーを用いている。
【００１２】
ブラケット３，３の上端側基端部には、ビスＳ1によって回動軸６が回動自在に取り付けられている。そして該回動軸６にビスＳ2，Ｓ2によって押え具７が取り付けられ、押え具７の前端側が上下揺動するように後端側を回動自在に設けた構成となっている。支持軸５に支持されたロールペーパーＲの上部周面に接触して覆うように設けられる。また押え具７の左右端には補強部８が形成され、取出し空間９が穿設された押え具７を補強する構成となっている。
【００１３】
押え具７にはロールペーパーＲの上部外周を露出させ、露出した周面のロールペーパーＲの先端を指によって外周外につまみ出すことができるスペースとして略長方形の取出し空間９が穿設されている。図２に示すように、取出し空間９のサイズは平面視で、ロールペーパーＲの取出し挿通が可能な幅と奥行きを有している。また該取出し空間９の前端部中央にはロールペーパーＲをつまみ出すことができる切欠状の摘み部１１が形成されている。さらに取出し空間９の前端内縁部はロールペーパーＲの回転を制動することができる線状の押え部１２，１２となっている。
【００１４】
押え具７の先端はロールペーパーＲの形状に沿うように下方に向けて湾曲形成されている。そして湾曲形成された押え具７の先端には鋸歯状又は波形等の凹凸状の刃先を有した切断部１３が形成されている。切断部１３はロールペーパーＲの軸心（支持軸５）に対して略垂直方向の外向きに折り曲げられている。また切断部１３の左右幅は押え具７の幅よりも短く形成され、その左右端には鈍角状の係止部１４，１４がそれぞれ形成されている。
【００１５】
以上の構成によるロールペーパーホルダー１は石膏ボードやベニヤ板等によって形成された壁などの設置場所の材質に応じて、皿ねじＳ3（図４参照）等によって取り付けて使用するものである。
【００１６】
次に図３に基づきロールペーパーホルダー１の使用方法を説明する。（Ａ）に示すように、上下揺動支点である回動軸６を支点にして押え具７を上向き（ａ1方向）に揺動させながら、左右側壁３，４の先端部３ａ，４ａにロールペーパーＲの支持軸５を介してロールペーパーＲを取り付ける。このとき押え具７の押え部１２のみがロールペーパーＲに押接した状態となっている。
【００１７】
（Ｂ）に示すように、押え具７の取出し空間９及び摘み部１１からロールペーパーＲの先端を外周外であるｂ1方向に摘み出し、所定長さ繰り出し後、押え具７先端の切断部１３を介して下方向（ｂ2方向）に垂らし、使用可能状態にする。
【００１８】
そして（Ｃ）に示すようにロールペーパーＲを繰り出し後に、所定長さで適宜折畳んで重ね合わせる。ロールペーパーＲを折畳んで重ね合わせた状態で、ロールペーパーＲを下方向（ｃ1方向）に引っ張ると、左右いずれかの係止部１４にロールペーパーが係止されて破れ始め、ロールペーパーＲが横滑りすることなく切断部１３において、ロールペーパーＲが切断される構成となっている。
【００１９】
この時、ロールペーパーＲに掛かった牽引力は切断部１３を介して押え具７の押え部１２に伝わり、該押え部１２がロールペーパーＲの回転を制御する下方向（ｃ2方向）に作用し、この作用によりロールペーパーＲを切断する際に、所定長さ以上に余分な紙が繰り出されることなく、例え片手であっても必要な長さの紙を正確に切取ることができる。
【００２０】
図２の平面図にも示すように、押え具７の先端の切断部１３の左右両端には係止部１４が形成されているので、上述のロールペーパーＲの繰出し端を左又は右斜め方向下向き（図１，図２の矢印参照）に引っ張って行う切断作業の際に、ロールペーパーＲの左右端部のいずれか一方の端部が係止部１４に係止されて破れ始め、ロールペーパーＲが横滑りすることなく、正確に切断される。
【００２１】
またロールペーパーＲは支持軸５を介して左右側壁３，４の先端に回動自在に取り付けられた構成となっているが、図４に示すように水平から上方に折曲げ可能に構成された軸支部材２１をブラケット３，３の先端に設けることにより、ロールペーパーＲを回動自在に取り付けることもできる。
【００２２】
さらに図５に示すように、押え具７の先端にロールペーパーＲの軸心（支持軸５）に対して略垂直方向の内向きに折り曲げられた切断部２３を設けることもできる。この切断部２３を設けることによって、従来公知のロールペーパーホルダーと同様の使用方法で使用することも可能である。ただし切断部２３によって紙を切断する際は切断部２３がロールペーパーＲに対して常に非接触状態であるので、押え具７を一方の手で押えながら、他方の手で紙を上方向に引っ張って紙を切断する必要がある。
【００２３】
その他、ブラケット３は後壁２と一体的に形成するだけでなく、ブラケット３のみを壁等に直接取り付けることも可能であるほか、切断部先端の凹凸状の刃先は他の形状の刃先に変更することも可能である。また使用されるロールペーパーＲは芯無しタイプだけでなく、筒状の芯を軸心に備えたタイプのロールペーパーを使用することもできる。さらに押え具のサイズ若しくは取出し空間のサイズは取り付けるロールペーパーのサイズに応じて自由に変更可能である。
【産業上の利用可能性】
【００２４】
本考案のロールペーパーホルダーは、トイレットペーパーだけでなく、キッチンペーパー等のロール状の紙のホルダーとして幅広く利用できるものである。
【図面の簡単な説明】
【００２５】
【図１】本考案のロールペーパーホルダーの全体斜視図であって、ロールペーパーの設置状態及びロールペーパーの切断状態を示している。
【図２】本考案のロールペーパーホルダーの平面図である。
【図３】本考案のロールペーパーホルダーの左側面図であり、（Ａ）はロールペーパーの取り付け後、（Ｂ）はロールペーパーを切窓より摘み出し、使用可能状態に設定後、（Ｃ）はロールペーパーの切断時の状態を示している。
【図４】本考案のロールペーパーホルダーの正面図であって、ロールペーパーの他の支持形態を示している。
【図５】本考案のロールペーパーホルダーの全体斜視図であって、切断部の他の形状を示している。
【符号の説明】
【００２６】
１    ロールペーパーホルダー
３    ブラケット
５    支持軸
７    押え具
９    取出し空間
１１  摘み部
１２  押え部
１３  切断部
１４  係止部
Ｒ    ロールペーパー
【図１】
0003118011.tif 000003
【図２】
0003118011.tif 000004
【図３】
0003118011.tif 000005
【図４】
0003118011.tif 000006
【図５】
0003118011.tif 000007